(57)【要約】【課題】被検体の首や腰を前に曲げなくても、頚部や腰部で発生する微弱な磁気を測定可能とする。【解決手段】デュア（１）と、デュア（１）から突出し上面が湾曲部になっている第１センサ筒（２ａ）〜第４センサ筒（２ｄ）と、第１センサ筒（２ａ）〜第４センサ筒（２ｄ）の各湾曲部の内面に設置してなる複数の超伝導磁気センサ（１１）とを具備する。第１センサ筒（２ａ）〜第４センサ筒（２ｄ）の湾曲部は、それぞれ中央が両端より０．５ｃｍ、１ｃｍ、２．５ｃｍ、４ｃｍ飛び出すように滑らかに湾曲している。【効果】被検体（Ｈ）に適合する湾曲部を持つセンサ筒を選べば、被検体の首や背を無理に前に曲げなくても、湾曲部を被検体（Ｈ）の頚部や腰部に密着させることが出来るので、脊髄で発生する微弱な磁気を好適に測定することが出来る。【選択図】図２
2008206809.tif 000002
【特許請求の範囲】
【請求項１】
湾曲の程度が異なる複数の湾曲部と、前記湾曲部の内面に設置してなる複数の超伝導磁気センサとを具備したことを特徴とする生体磁気計測装置。
【請求項２】
極低温液体を貯留するデュアと、湾曲の程度がそれぞれ異なる湾曲部を有し前記デュアから突出した複数のセンサ筒と、前記各センサ筒の前記各湾曲部の内面に設置してなる複数の超伝導磁気センサとを具備したことを特徴とする生体磁気計測装置。
【請求項３】
極低温液体を貯留するデュアと、前記デュアから突出したセンサ筒と、前記センサ筒に設けられ湾曲の程度がそれぞれ異なる複数の湾曲部と、前記各湾曲部の内面に設置してなる複数の超伝導磁気センサとを具備したことを特徴とする生体磁気計測装置。
【請求項４】
請求項２または請求項３に記載の生体磁気計測装置において、前記センサ筒の上面が、該センサ筒の突出方向に直交する方向に凸状に湾曲し、該センサ筒の突出方向には湾曲していないことを特徴とする生体磁気計測装置。
【請求項５】
請求項２から請求項４のいずれかに記載の生体磁気計測装置において、前記湾曲部は、中央が両端より０．５ｃｍ以上４ｃｍ以下飛び出すように滑らかに湾曲していることを特徴とする生体磁気計測装置。
【請求項６】
極低温液体を貯留するデュアと、前記デュアに設けられ湾曲の程度がそれぞれ異なる複数の湾曲部と、前記各湾曲部の内面に設置してなる複数の超伝導磁気センサとを具備したことを特徴とする生体磁気計測装置。
【発明の詳細な説明】
【技術分野】
【０００１】
本発明は、生体磁気計測装置に関し、さらに詳しくは、被検体の首や背を前に曲げなくても脊髄で発生する微弱な磁気を好適に測定することが出来る生体磁気計測装置に関する。
【背景技術】
【０００２】
従来、複数の超伝導磁気センサをｙ方向に並べたセンサ列を、複数列、隣接するセンサ列の超伝導磁気センサに対してｙ方向位置をずらせてｘ方向に並べたセンサアレイを、センサ筒の先端部の内面に設置してなる超伝導磁気測定装置が知られている（例えば、特許文献１参照。）。
【特許文献１】特開２００５−３３７８６２号公報
【発明の開示】
【発明が解決しようとする課題】
【０００３】
上記従来の超伝導磁気測定装置では、センサ筒の先端部が平面壁であったため、被検体の首をやや前に曲げて頚部を真っ直ぐに伸ばした状態にしてセンサ筒の先端部を被検体の頚部に密着させ、頚部で発生する微弱な磁気を測定していた。また、同様に、被検体の腰をやや前に曲げて腰部を真っ直ぐに伸ばした状態にしてセンサ筒の先端部を被検体の腰部に密着させ、腰部で発生する微弱な磁気を測定していた。
しかし、例えば高齢者は加齢により脊椎の可動性(動かすことができる範囲)が減少し、首や腰を前に曲げることができず、被検体の頚部や腰部が自然に湾曲した状態のままであるため、センサ筒の先端部の中央が被検体の頚部や腰部から離れることになり、うまく測定できなくなる問題点があった。また、首や腰を前に無理に曲げると、筋肉の活動による磁場がノイズ源になり、測定が阻害される問題点があった。
そこで、本発明の目的は、被検体の首や腰を無理に前に曲げなくても、頚部や腰部で発生する微弱な磁気を好適に測定することが出来る生体磁気計測装置を提供することにある。
【課題を解決するための手段】
【０００４】
第１の観点では、本発明は、湾曲の程度が異なる複数の湾曲部と、前記湾曲部の内面に設置してなる複数の超伝導磁気センサとを具備したことを特徴とする生体磁気計測装置を提供する。
上記第１の観点による生体磁気計測装置では、湾曲部に超伝導磁気センサを設置しているため、被検体の首を前に曲げないで頚部が自然に湾曲した状態であっても、湾曲部を被検体の頚部に必要な程度密着させることが出来る。また、被検体の腰を前に曲げないで腰部が自然に湾曲した状態であっても、湾曲部を被検体の腰部に必要な程度密着させることが出来る。すなわち、被検体の首や腰を前に曲げないで、自然な姿勢でも、脊髄および脊髄神経で発生する微弱な磁気を好適に測定することが出来る。ところが、年齢差や個人差により首や腰の自然な湾曲の程度が異なるため、湾曲部の湾曲の程度が、ある被検体に適合しても、他の被検体に適合しないことがある。これに対して、上記第１の観点による生体磁気計測装置では、湾曲の程度が異なる複数の湾曲部を備えているため、被検体に適合する湾曲部を選択することが出来る。そして、各湾曲部の超伝導磁気センサを冷却するための極低温液体を貯留するデュワが１つで済むので、極低温液体の貯留量を節約することが出来る。
【０００５】
第２の観点では、本発明は、極低温液体を貯留するデュアと、湾曲の程度がそれぞれ異なる湾曲部を有し前記デュアから突出した複数のセンサ筒と、前記各センサ筒の前記各湾曲部の内面に設置してなる複数の超伝導磁気センサとを具備したことを特徴とする生体磁気計測装置を提供する。
上記第２の観点による生体磁気計測装置では、被検体に適合する湾曲部を持つセンサ筒を選ぶことが出来る。また、センサ筒が複数なので、超伝導磁気センサと外部との配線作業が楽になる。そして、デュワが１つで済むので、極低温液体の貯留量を節約することが出来る。
【０００６】
第３の観点では、本発明は、極低温液体を貯留するデュアと、前記デュアから突出したセンサ筒と、前記センサ筒に設けられ湾曲の程度がそれぞれ異なる複数の湾曲部と、前記各湾曲部の内面に設置してなる複数の超伝導磁気センサとを具備したことを特徴とする生体磁気計測装置を提供する。
上記第３の観点による生体磁気計測装置では、被検体に適合する湾曲部を選ぶことが出来る。また、一つのセンサ筒に複数の湾曲部なので、全体を小型化できる。そして、デュワが１つで済むので、極低温液体の貯留量を節約することが出来る。
【０００７】
第４の観点では、本発明は、前記第２または第３の観点による生体磁気計測装置において、前記センサ筒の上面が、該センサ筒の突出方向に直交する方向に凸状に湾曲し、該センサ筒の突出方向には湾曲していないことを特徴とする生体磁気計測装置を提供する。
上記第４の観点による生体磁気計測装置では、センサ筒の上面を枕あるいは腰枕のように使用することで被検体は計測中寝ていればよいので、被検体の負担を軽減することが出来る。
【０００８】
第５の観点では、本発明は、前記第２から第４のいずれかの観点による生体磁気計測装置において、前記湾曲部は、中央が両端より０．５ｃｍ以上４ｃｍ以下飛び出すように滑らかに湾曲していることを特徴とする生体磁気計測装置を提供する。
本願発明者が試験したところ、人の首に対しては、中央が両端より０．５ｃｍ以上４ｃｍ以下飛び出すように滑らかに湾曲していれば適合することが判った。従って、上記第５の観点による生体磁気計測装置では、人の首を前に曲げないで頚部が自然に湾曲した状態で湾曲部を被検体の頚部に密着させることが出来る。
【０００９】
第６の観点では、本発明は、極低温液体を貯留するデュアと、前記デュアに設けられ湾曲の程度がそれぞれ異なる複数の湾曲部と、前記各湾曲部の内面に設置してなる複数の超伝導磁気センサとを具備したことを特徴とする生体磁気計測装置を提供する。
上記第６の観点による生体磁気計測装置では、デュアに設けた湾曲部のうちで被検体に適合するものを選ぶことが出来る。
【発明の効果】
【００１０】
本発明の生体磁気計測装置によれば、被検体の脊髄および脊髄神経で発生する微弱な磁気を好適に測定することが出来る。
【発明を実施するための最良の形態】
【００１１】
以下、図に示す実施例により本発明をさらに詳細に説明する。なお、これにより本発明が限定されるものではない。
【実施例１】
【００１２】
図１は、実施例１に係る生体磁気計測装置１００の正面図である。また、図２は、同上面図である。
この生体磁気計測装置１００は、極低温液体（例えば液体窒素）を貯留するデュア１と、デュア１から突出し上面が湾曲部になっている第１センサ筒２ａ〜第４センサ筒２ｄと、第１センサ筒２ａ〜第４センサ筒２ｄの各湾曲部の内面に設置してなる複数の超伝導磁気センサ１１とを具備している。
【００１３】
第１センサ筒２ａ〜第４センサ筒２ｄは、デュワ１からの突出方向の長さは４０ｃｍ、高さは２０ｃｍ、幅は１５ｃｍであり、幅方向に上面が湾曲し、突出方向には湾曲していない。
【００１４】
第１センサ筒２ａの湾曲部は、中央が両端より０．５ｃｍ飛び出すように滑らかに湾曲している。
第２センサ筒２ｂの湾曲部は、中央が両端より１ｃｍ飛び出すように滑らかに湾曲している。
第３センサ筒２ｃの湾曲部は、中央が両端より２．５ｃｍ飛び出すように滑らかに湾曲している。
第４センサ筒２ｄの湾曲部は、中央が両端より４ｃｍ飛び出すように滑らかに湾曲している。
【００１５】
図１，図２に示すように、被検体Ｈに適合する湾曲部を持つ例えば第２センサ筒２ｂを選び、センサ筒２ｂの上面を枕のように使用して被検体Ｈは計測中寝ていればよい。
【００１６】
図３は、第１センサ筒２ａの内部を示す断面図である。
第１センサ筒２ａは、内槽１０ａおよび外槽１０ｂからなる。内槽１０ａの内面に、複数の超伝導磁気センサ１１が配設されている。
【００１７】
実施例１の生体磁気計測装置１００によれば、被検体Ｈの首や腰を前に曲げないで頚部や腰部が自然に湾曲した状態であっても、湾曲部を被検体Ｈの頚部や腰部に密着させることが出来る。従って、超伝導磁気センサ１１と脊髄の距離をほぼ一定にすることが出来る。そして、湾曲の程度が異なる複数の湾曲部を備えているから、被検体Ｈに適合する湾曲部を選ぶことが出来る。そして、デュワ１が１つで済むので、極低温液体の貯留量を節約することが出来る。
【実施例２】
【００１８】
図４に示すように、円筒型の超伝導磁気センサ１１の代わりに、平面型の超伝導磁気センサ１１を用いてもよい。
【実施例３】
【００１９】
図５は、実施例３に係る生体磁気計測装置２００の正面図である。また、図６は、同上面図である。また、図６は、側面図である。
この生体磁気計測装置２００は、デュア１と、デュア１から突出し上面が湾曲の程度がそれぞれ異なる第１湾曲部３ａ〜第３湾曲部３ｃになっているセンサ筒３と、センサ筒３の第１湾曲部３ａ〜第３湾曲部３ｃの内面に設置してなる複数の超伝導磁気センサ１１とを具備している。
【００２０】
センサ筒３は、デュワ１からの突出方向の長さは１００ｃｍ、高さは２０ｃｍ、幅は１５ｃｍであり、幅方向に上面が湾曲し、突出方向には湾曲していない。
【００２１】
第１湾曲部３ａは、中央が両端より１ｃｍ飛び出すように滑らかに湾曲している。
第２湾曲部３ｂは、中央が両端より２ｃｍ飛び出すように滑らかに湾曲している。
第３湾曲部３ｃは、中央が両端より３ｃｍ飛び出すように滑らかに湾曲している。
【００２２】
図６に示すように、被検体Ｈに適合する湾曲部を選び、その湾曲部を枕のように使用して被検体Ｈは計測中寝ていればよい。
【００２３】
実施例３の生体磁気計測装置２００によれば、被検体Ｈの首や腰を前に曲げないで頚部や腰部が自然に湾曲した状態であっても、湾曲部を被検体Ｈの頚部や腰部に密着させることが出来る。従って、超伝導磁気センサ１１と脊髄の距離をほぼ一定にすることが出来る。そして、湾曲の程度が異なる複数の湾曲部を備えているから、被検体Ｈに適合する湾曲部を選ぶことが出来る。そして、デュワ１が１つで済むので、極低温液体の貯留量を節約することが出来る。
【実施例４】
【００２４】
図８は、実施例４に係る生体磁気計測装置３００の断面図である。
この生体磁気計測装置３００は、デュア１と、デュア１に設けられ湾曲の程度がそれぞれ異なる第１湾曲部４ａおよび第２湾曲部４ｂと、第１湾曲部４ａおよび第２湾曲部４ｂの内面に設置してなる複数の超伝導磁気センサ１１とを具備している。
【００２５】
第１湾曲部４ａは、大人の頭部を収容しうる湾曲の程度になっている。
第２湾曲部４ｂは、幼児の頭部を収容しうる湾曲の程度になっている。
【００２６】
なお、ＬＤはデュワ１の蓋であり、ＰＡはパッキングであり、ＳＴは冷媒供給排気用二重管である。また、２０は超伝導磁気センサ１１と信号をやり取りするインタフェース装置であり、３０は信号を解析する情報処理装置であり、４０は解析結果を表示する表示装置である。
【００２７】
実施例４の生体磁気計測装置３００によれば、湾曲の程度が異なる複数の湾曲部４ａ，４ｂを備えているから、被検体Ｈに適合する湾曲部を選ぶことが出来る。そして、デュワ１が１つで済むので、極低温液体の貯留量を節約することが出来る。
【産業上の利用可能性】
【００２８】
人の脊髄および脊髄神経で発生する微弱な磁気を測定する装置として利用することが出来る。
【図面の簡単な説明】
【００２９】
【図１】実施例１に係る生体磁気計測装置の正面図である。
【図２】実施例１に係る生体磁気計測装置の上面図である。
【図３】実施例１に係る生体磁気計測装置のセンサ筒の断面図である。
【図４】実施例２に係る生体磁気計測装置のセンサ筒の断面図である。
【図５】実施例３に係る生体磁気計測装置の正面図である。
【図６】実施例３に係る生体磁気計測装置の上面図である。
【図７】実施例３に係る生体磁気計測装置の側面図である。
【図８】実施例４に係る生体磁気計測装置の断面図である。
【符号の説明】
【００３０】
１                                デュワ
２ａ，２ｂ，２ｃ，２ｄ，３        センサ筒
３ａ，３ｂ，３ｃ，４ａ，４ｂ      湾曲部
１１                              超伝導磁気センサ
１００，２００，３００            生体磁気計測装置
【図１】
2008206809.tif 000003
【図２】
2008206809.tif 000004
【図３】
2008206809.tif 000005
【図４】
2008206809.tif 000006
【図５】
2008206809.tif 000007
【図６】
2008206809.tif 000008
【図７】
2008206809.tif 000009
【図８】
2008206809.tif 000010